(57)【特許請求の範囲】
【請求項１】
人体の上肢や下肢の四肢をマッサージする装置であり、筐体内にあって四肢のマッサージ部の周囲部に位置するようスパイラル状に延びる螺線体と、螺線体の内側にあって四肢のマッサージ部周囲を被い得るよう筒状または袋状に形成した保護体と、上記螺線体に直接的または間接的に連結しこの螺線体をその軸心回りに回転させる駆動源を備え、その螺線体の回転によってマッサージ部を末梢部側から中枢部側へマッサージし得るようにしたことを特徴とするマッサージ装置。
【請求項２】
筐体に支持されていて螺線体の端部に係合しその螺線体を軸心方向に伸縮移動させる移動体を有し、この移動体による螺線体の伸縮移動よって螺線体の線間の幅を変えてマッサージ作用を調節するようにしたことを特徴とする請求項１に記載のマッサージ装置。
【請求項３】
移動体は、螺線体の軸心方向に移動可能な作動子と、その作動子または筐体の一方に設けたつめラックと、上記作動子または筐体の他方に設けられ上記つめラックに係合するつめを有し、このつめラックとつめの係合、離脱によって螺線体を軸心方向に伸縮移動させるようにした請求項２に記載のマッサージ装置。
【請求項４】
つめに摘みを設けた請求項３に記載のマッサージ装置。
【請求項５】
移動体は、螺線体の軸心方向に移動可能な作動子と、この作動子に設けたラックと、このラックに噛合して正逆回転可能な減速機付きモータにより駆動されるピニオンを有し、上記モータの正逆回転によって螺線体を軸心方向に伸縮移動させるようにした請求項２に記載のマッサージ装置。
【請求項６】
螺線体はその位相を変えて複数巻きとした請求項１〜５のいずれかに記載のマッサージ装置。
【請求項７】
螺線体の外周に截頭角錐体状に形成した複数の押圧体を有し、この各押圧体の截頭部が内側となるように押圧体を連設した請求項１〜６のいずれかに記載のマッサージ装置。
【請求項８】
螺線体の外形をマッサージ部の外周面にほぼ沿うような形態に形成した請求項１〜７のいずれかに記載のマッサージ装置。
【請求項９】
螺線体の回転駆動源として減速機付きモータを有し、この減速機付きモータに螺線体を連結して螺線体を回転するようにした請求項１〜８のいずれかに記載のマッサージ装置。
【請求項１０】
螺線体の回転駆動源として減速機付きモータを有し、この減速機付きモータの出力軸に設けた歯車を、筐体に軸支した支持体に設けた歯車に噛合させて螺線体を回転するようにした請求項１〜８のいずれかに記載のマッサージ装置。
【発明の詳細な説明】
【技術分野】
【０００１】
本発明は、上肢や下肢の四肢をマッサージする装置に関し、特に乳がんや子宮がん、卵巣がん等の手術後に発生するリンパ性の浮腫の治療や予防に好適なマッサージ装置に関する。
【背景技術】
【０００２】
乳がんや子宮がん、卵巣がん等を手術する際に、一般に、がん患部を摘出すると共に、がんの転移の有無を検査するために患部に隣接するリンパ節を切除することが行われている。このリンパ節の切除のために、患者によっては術後にリンパ液の循環が低下しリンパ浮腫が発症することがあり、このことが患者を悩ませている。このリンパ浮腫を治療する方法として下記のような方法が考えられている。
（１）弾性スリーブや弾性ストッキングを用いる方法、
（２）弾性包帯を用いる方法、
（３）マッサージ師によるマッサージ方法、
（４）エアマッサージ器を用いる方法、
【０００３】
上記（１）乃至（３）の方法は、常時押圧することによって浮腫を軽減した状態を維持しその進行を抑制するものであるが、リンパ液を積極的に末梢部から中枢部へ押し流そうとするものではないので、この点において充分な治療は得られていない。また、上記（３）の方法は、マッサージ師の手によってマッサージするために患者の患部に合わせて押圧力等を加減しながらリンパ液を押し流すことができるので理想的な治療方法とは言えるが、患者にとっては、治療のために何度も通院しなければならず、このために多くの時間を費やすと共に費用も嵩むという問題があった。
【０００４】
更に、上記（４）のエアマッサージ器は、腕や脚などのマッサージ部に巻回するシート部材に複数の気密室を設け、この各気密室を単位ごとに圧縮空気を供給、排気し、マッサージ部の末梢部から中枢部に向かって気密室を順次膨張、収縮させてマッサージするというものである（特許文献１）。しかし、この装置は、各気密室を圧縮空気によって順次膨張・収縮させるようにしたものであるから、使用時にマッサージ部のリンパ液の一部が末梢側に漏れてしまうことがありリンパ液を移動する効率が悪いと共に、その各気密室への給排気のタイミングを調整することが難しく、これによって装置全体の構造を複雑にしている。
【特許文献１】特許第２８５２４６１号公報（段落｛０００２｝、｛０００３｝及び｛００１８｝、第１図）
【発明の開示】
【発明が解決しようとする課題】
【０００５】
本発明は、上記従来の問題点を解決するものであって、上肢や下肢のマッサージ部のリンパ液をスムーズに、かつ効率よく末梢部側から中枢部側へ移動することができると共に、マッサージ部を適度に、かつ安全にマッサージすることができる簡易なマッサージ装置を提供しようとするものである。
【課題を解決するための手段】
【０００６】
本発明は、四肢部のマッサージ部の周囲にスパイラル状に延びる螺線体を設け、その螺線体を回転させることによってリンパ液を末梢部から中枢部へと順次円滑に押し出すことができるようにし、またその際に上記螺線体を軸心方向に伸縮させることによって螺線体の線間の幅を変え、使用者のマッサージ部におけるリンパ液の押し出し間隔を調節して使用者に適合したマッサージ効果を得ることができるようにしたものである。
【０００７】
本発明は、螺線体の軸心方向に移動可能な作動子と筐体の一方または他方にそれぞれつめラックとつめを設け、このつめラックとつめの係合、離脱によって螺線体を軸心方向に伸縮移動させるようにしたものである。また、その際につめに設けた摘みによってつめラックとつめの係合、離脱を簡便にできるようにしたものである。
【０００８】
本発明は、螺線体の軸心方向に移動可能な作動子にラック設け、このラックに正逆回転可能な減速機付きモータにより駆動されるピニオンを噛合させ、このモータの正逆回転によって螺線体を軸心方向に伸縮移動させるようにしたものである。
【０００９】
本発明は、螺線体をその位相を変えて複数巻きとしたものである。
【００１０】
本発明は、螺線体の外周に截頭角錐体状に形成した複数の押圧体を設け、この各押圧体の截頭部が内側となるように押圧体を連設することによってマッサージ部へ適度の絞り効果を与えるようにしたものである。
【００１１】
本発明は、螺線体の外形をマッサージ部の外周面にほぼ沿うような形態に形成し、マッサージ部によりフイットした状態でマッサージすることができるようにしたものである。
【００１２】
本発明は、螺線体の回転駆動源として減速機付きモータを有し、このモータに螺線体を連結して螺線体を回転するようにしたものである。
【００１３】
本発明は、螺線体の回転駆動源として減速機付きモータを有し、このモータの出力軸に設けた歯車を、筐体に軸支した支持体に設けた歯車に噛合させて螺線体を回転するようにしたものである。
【発明の効果】
【００１４】
本発明は、四肢部のマッサージ部のリンパ液を効率よく末梢部から中枢部へとスムーズに押し出すことができ、またその際にマッサージ部へのリンパ液の押し出し間隔を調整することによって適度のマッサージ効果を得ることができる。
【発明を実施するための最良の形態】
【００１５】
図１は、本装置の一実施例を示す。マッサージ装置１は、人体の上肢や下肢の四肢（図に示すものにおいては上肢の前腕部）の周囲部にスパイラル状に延びる螺線体２と、この螺線体の内側にあって前腕部のマッサージ部の周囲を被う保護体６と、上記螺線体をその軸心周りに回転させる駆動源３と、筐体４に支持されており上記螺線体２の先端部に係合し螺線体を軸心方向に伸縮移動させてマッサージ部へのリンパ液の押し出し間隔を調節する移動体５を備えている。
【００１６】
患者は、先ず治療を受ける前腕部を筐体４の入口７より保護体６内に挿入する。その際に、予め前腕部を保護体６内に挿入し、この保護体６を前腕部と共に螺線体２内に挿入するようにしてもよい。この保護体６は、低反発ウレタン等の低反発フォームやスポンジ、軟質ゴム等のクッション性を有するもので形成されており患者の前腕部表面を保護している。
【００１７】
螺線体２は、ピアノ線、硬鋼線、ステンレス線等のコイルばね材や弾性プラスチック線その他適度の腰と弾性のある適当な材料を用いることができ、これに適宜錆び止め等のメッキを施してスパイラル状に形成されている。なお、この螺線体２は、位相を変えて同一回転面において二重、三重等の複数巻きとしたり、その際に各螺線体の太さや断面形状（丸形や三角、四角等の多角形など）、弾性力等を変えたりして押圧に強弱の変化を与えるようにしておくことができる。
【００１８】
上記のようにして前腕を装置内にセットした後に、下記のように上記移動体５を用いて螺線体２を軸心方向に伸縮させ、螺線体２の線間の幅Ｌを調節してリンパ液を末梢部側から中枢部側へ連続して押し出す間隔を調節する。上記移動体５は、作動子８を有しこの作動子の突起９を筐体４に形成した長溝１０に係合させて螺線体２の軸心方向に移動できるように形成されており、その作動子８に形成した溝１１に螺線体２の先端部４２を係合させている。従って、上記移動体５を螺線体２の軸心方向に移動させることによって、自由に螺線体２の線間の幅を変えることができる。なお、作動子８は、図３に示すように、螺線体２の先端部４２にリング１２を固定し、このリングを作動子８の溝１１に係合させているが、このリングに代えて螺線体２の先端部４２を外周に複数巻きしこれを固定する方法を用いるようにしてもよい。
【００１９】
上記螺線体２を所定の位置で保持する方法は、図３に示すように、作動子８に設けたつめ１３を筐体４にビス１９止めしたつめラック１４に係合して行っている。この場合、つめ１３には、これを上記つめラック１４に押しつける方向に付勢するばね１５が設けられ、これによってラチェット機能を形成している。従って、作動子８を螺線体２の先端部方向へ移動する際は、この作動子８に設けた摘み１６を摘んで所定の位置まで移動させることができ、その所定の位置で摘み１６から手を離せば、つめ１３がつめラック１４に食い込んで作動子８はその位置で保持される。この作動子８の位置は、作動子８に付けた目印１７と筐体４に設けた目盛１８によって知ることができる。上記つけ１３とつめラック１４の係合の離脱は、つめ１３に設けた摘み１６を回動させることによって行うことができる。なお、上記筐体４の端部には、ストッパー４３が設けられ、移動体５が移動中に筐体４より外れるのを防ぐと共に移動体の移動範囲を規制している。
【００２０】
上記螺線体２の回転は、その螺線体端部の軸部４０にカップリング２０を介して接続した減速機２１付きモータ２２によって行っている。この場合、モータ２２は台２３に載置させており、これによって螺線体２の軸部４０と駆動源３の出力軸４１との高さを調節している。なお、上記駆動源３は、減速機２１とモータを別体にしたり、減速機２１をモータに組み込んだギヤードモータとしたり、またモータ２２に予測外の負荷がかかった際にその駆動を停止させる過負荷防止装置やブレーキ装置を設けたりすることができる。このようにして上記螺線体２を回転することによって、前腕の表面部を手で軽く加減しながら揉み上げてマッサージするかのように末梢部から中枢部へと軽くゆっくりと、所定の間隔をもって連続してマッサージすることができ、リンパ液を的確に、かつ効率よくスムーズに送り出すことができる。
【００２１】
図４に示すものは、上記螺線体２の周囲に截頭四角錐体状の接触子２４をその截頭部が内側となるように連続している場合であり、これによって前腕の表面部をやや絞るように揉み上げることができる。なお、この接触子２４は、その他の形状のもの、例えば截頭円錐体状や截頭六角錐体状等の截頭多角錐体状等のものを用いることができる。
【００２２】
図５に示すものは、螺線体２の形状を前腕の外周面にほぼ沿うような形態に設けた場合であり、これによって螺線体２が前腕の外周面により一層フイットした状態となり均一な押圧作用をもってマッサージすることができる。
【００２３】
図６に示す保護体６は、その端部にフランジ部２５を接着等して設けたもので、保護体６を螺線体２に挿入した際にこのフランジ部２５を筐体４に当接させて所定の位置で保護体６を停止させている。
【００２４】
図７及び図８には他の実施例が示されている。なお、この図において、上記実施例と同一あるいは同様の構成部分については同一の符号をもって表示する。上記螺線体２は、その端部が筐体４に軸受３０を介して支持された支持体２６に接着や溶着等によって固定されており、この支持体２６に設けた大歯車２７に、減速機２１付きモータ２２の出力軸２８に装着した小歯車２９を噛合させて螺線体２を回転させている。この場合、上記軸受３０は、玉軸受やころ軸受等を用いることができる。一方、移動体５は、その作動子８にラック３１が固定されており、このラックに、正逆回転可能な減速機３２付きモータ３３（この場合ギヤードモータでもよい）の出力軸３４に装着したピニオン３５を噛合させて移動させている。なお、上記移動体５の移動は、作動子８が移動する範囲の両端部にマイクロスイッチを設け、このマイクロスイッチの作動により上記モータ３３を制御することによって規制するようにしてもよい。
【００２５】
上記モータ３３の正転、逆転及び停止の操作は、図９に示すように、正転３６ボタン、逆転ボタン３７及び停止ボタン３８を押すことによって行われ、その際の動作は制御部３９で制御されている。この場合、停止ボタン３８は非常時や緊急時にも使用することができるが、この停止ボタンとは別に非常ボタンを設けるようにしてもよい。
【００２６】
上記実施例では、筐体４を固定し、その筐体内で螺線体２を回転するようにしているが、これに代えて例えば筐体４をローラで回転可能に支持し、筐体に螺線体２を装着して螺線体２を筐体４と共に回転させるようにしてもよい。
【図面の簡単な説明】
【００２７】
【図１】本発明の実施例を示す一部断面にした側面図である。
【図２】移動体の動作を示す拡大平面図である。
【図３】螺線体と移動体の取り付け状態を示す拡大断面図である。
【図４】螺線体の変形例を示す拡大斜面図である。
【図５】螺線体の他の変形例を示す概略部分拡大側面図である。
【図６】保護体の変形例を示す拡大部分断面図である。
【図７】本発明の他の実施例を示す一部断面にした側面図である。
【図８】図７における他の実施例の平面図である。
【図９】移動体の移動、停止を制御する場合を示すブロック図である。
【符号の説明】
【００２８】
２  螺線体    ３  駆動源    ４  筐体    ５  移動体    ６  保護体    １３  つめ    １４  つめラック  １６  摘み    ２７  大歯車    ２９  小歯車    ３０  軸受    ３１  ラック    ３２  減速機    ３３  モータ    ３５  ピニオン    
【図１】
0004681594.tif 000002
【図２】
0004681594.tif 000003
【図３】
0004681594.tif 000004
【図４】
0004681594.tif 000005
【図５】
0004681594.tif 000006
【図６】
0004681594.tif 000007
【図７】
0004681594.tif 000008
【図８】
0004681594.tif 000009
【図９】
0004681594.tif 000010